(57)【特許請求の範囲】
【請求項１】
圧縮機（21,22,23）と、熱源側熱交換器（13）と、それぞれに利用側熱交換器（64a〜64c）及び膨張弁（63a〜63c）が設けられて互いに並列に配置される複数の利用側ユニット（60a〜60c）とを有し、高圧が冷媒の臨界圧力以上である冷凍サイクルを行う冷媒回路（6）を備え、
上記利用側熱交換器（64a〜64c）が放熱器として機能する加熱運転を少なくとも行う冷凍装置であって、
複数の上記利用側ユニット（60a〜60c）は、それぞれの設定温度を個別に設定可能であり、
上記加熱運転において、複数の上記利用側ユニット（60a〜60c）の設定温度のうち最も高い設定温度よりも高い温度を基準温度とし、各上記利用側ユニット（60a〜60c）の上記利用側熱交換器（64a〜64c）の出口における冷媒の温度が上記基準温度となるように、各上記利用側ユニット（60a〜60c）の上記膨張弁（63a〜63c）の開度を個別に調節する制御器（100）を備えている
ことを特徴とする冷凍装置。
【請求項２】
請求項１において、
上記制御器（100）は、上記加熱運転において上記熱源側熱交換器（13）が蒸発器として機能するときに、冷凍サイクルの高圧が所定の基準高圧となるように上記圧縮機（21,22,23）の運転容量を調節する
ことを特徴とする冷凍装置。
【請求項３】
請求項２において、
上記制御器（100）は、上記加熱運転において上記熱源側熱交換器（13）が蒸発器として機能するときに、少なくとも一つの上記利用側ユニット（60a〜60c）の上記膨張弁（63a〜63c）が全開になると上記基準高圧を引き上げ、全ての上記利用側ユニット（60a〜60c）の上記膨張弁（63a〜63c）が全開でなくなると上記基準高圧を引き下げる
ことを特徴とする冷凍装置。
【請求項４】
請求項１において、
上記冷媒回路（6）は、上記加熱運転中に蒸発器として機能し得る冷却用熱交換器（54）と、上記熱源側熱交換器（13）に対応して設けられた開度可変の熱源側膨張弁（14）とを有し、
上記制御器（100）は、上記加熱運転において上記熱源側熱交換器（13）が放熱器として機能し且つ上記冷却用熱交換器（54）が蒸発器として機能するときに、上記熱源側熱交換器（13）の出口における冷媒の温度が所定の熱源側基準温度となるように、上記熱源側膨張弁（14）の開度を調節する
ことを特徴とする冷凍装置。
【請求項５】
請求項１において、
上記熱源側熱交換器（13）へ室外空気を送る室外ファン（12）を備え、
上記熱源側熱交換器（13）は、上記室外ファン（12）によって送られた室外空気を冷媒と熱交換させるように構成され、
上記冷媒回路（6）は、上記加熱運転中に蒸発器として機能し得る冷却用熱交換器（54）を有し、
上記制御器（100）は、上記加熱運転において上記熱源側熱交換器（13）が放熱器として機能し且つ上記冷却用熱交換器（54）が蒸発器として機能するときに、冷凍サイクルの高圧が所定の基準高圧となるように上記室外ファン（12）の送風量を調節する
ことを特徴とする冷凍装置。
【発明の詳細な説明】
【技術分野】
【０００１】
本開示は、冷凍装置に関するものである。
【背景技術】
【０００２】
従来より、高圧が冷媒の臨界圧力以上となる冷凍サイクルを行う空気調和装置が知られている。特許文献１に開示された冷凍装置は、室内の冷房と暖房を行う複数の室内ユニットを備える。室内ユニットが暖房を行う場合は、各室内ユニットの室内熱交換器において冷媒が空気へ放熱する。暖房運転中の各室内ユニットでは、その室内ユニットの室内熱交換器の出口における冷媒の温度が目標温度となるように、膨張弁の開度が制御される。
【先行技術文献】
【特許文献】
【０００３】
【特許文献１】特開２００８−６４４３９号公報
【発明の概要】
【発明が解決しようとする課題】
【０００４】
特許文献１の空気調和装置では、各室内ユニットの制御部が目標温度を個別に算出するため、暖房運転中に各室内ユニットの目標温度が互いに異なる場合がある。この場合は、目標温度が低い室内ユニットほど、その膨張弁の開度が小さくなり、その室内熱交換器に溜まる冷媒の量が多くなる。そして、冷媒回路の一部に冷媒が溜まり込むと、冷媒回路を循環する冷媒の量が少なくなり、適切な条件で冷凍サイクルを行えなくなるおそれがある。
【０００５】
本開示の目的は、高圧が冷媒の臨界圧力以上である冷凍サイクルを行う冷凍装置において、放熱器における対象物の加熱を適切に行うことにある。
【課題を解決するための手段】
【０００６】
本開示の第１の態様は、圧縮機（21,22,23）と、熱源側熱交換器（13）と、それぞれに利用側熱交換器（64a〜64c）及び膨張弁（63a〜63c）が設けられて互いに並列に配置される複数の利用側ユニット（60a〜60c）とを有し、高圧が冷媒の臨界圧力以上である冷凍サイクルを行う冷媒回路（6）を備え、上記利用側熱交換器（64a〜64c）が放熱器として機能する加熱運転を少なくとも行う冷凍装置を対象とする。そして、複数の上記利用側ユニット（60a〜60c）は、それぞれの設定温度を個別に設定可能であり、上記加熱運転において、複数の上記利用側ユニット（60a〜60c）の設定温度のうち最も高い設定温度よりも高い温度を基準温度とし、各上記利用側ユニット（60a〜60c）の上記利用側熱交換器（64a〜64c）の出口における冷媒の温度が上記基準温度となるように、各上記利用側ユニット（60a〜60c）の上記膨張弁（63a〜63c）の開度を個別に調節する制御器（100）を備えることを特徴とする。
【０００７】
第１の態様において、制御器（100）は、各利用側ユニット（60a〜60c）の設定温度を比較し、基準温度を、最も高い設定温度よりも高い値にする。制御器（100）は、この基準温度を用いて、各利用側ユニット（60a〜60c）の膨張弁（63a〜63c）を制御する。その結果、各利用側ユニット（60a〜60c）の膨張弁（63a〜63c）の開度の差が比較的小さくなり、各利用側ユニット（60a〜60c）の利用側熱交換器（64a〜64c）に溜まり込む冷媒の量の差が小さくなる。従って、この態様によれば、冷媒回路（6）を循環する冷媒の量が確保され、利用側熱交換器（64a〜64c）における対象物の加熱を適切に行うことができる。
【０００８】
本開示の第２の態様は、上記第１の態様において、上記制御器（100）は、上記加熱運転において上記熱源側熱交換器（13）が蒸発器として機能するときに、冷凍サイクルの高圧が所定の基準高圧となるように上記圧縮機（21,22,23）の運転容量を調節することを特徴とする。
【０００９】
第２の態様では、制御器（100）が圧縮機（21,22,23）の運転容量を調節する。加熱運転中に利用側熱交換器（64a〜64c）が放熱器として機能して熱源側熱交換器（13）が蒸発器として機能する場合、制御器（100）は、圧縮機（21,22,23）の運転容量を、冷凍サイクルの高圧が基準高圧となるように調節する。
【００１０】
本開示の第３の態様は、上記第２の態様において、上記制御器（100）は、上記加熱運転において上記熱源側熱交換器（13）が蒸発器として機能するときに、少なくとも一つの上記利用側ユニット（60a〜60c）の上記膨張弁（63a〜63c）が全開になると上記基準高圧を引き上げ、全ての上記利用側ユニット（60a〜60c）の上記膨張弁（63a〜63c）が全開でなくなると上記基準高圧を引き下げることを特徴とする。
【００１１】
第３の態様では、制御器（100）が、圧縮機（21,22,23）の制御に用いる基準高圧を調節する。加熱運転中に利用側熱交換器（64a〜64c）が放熱器として機能して熱源側熱交換器（13）が蒸発器として機能する場合、制御器（100）は、基準高圧を、膨張弁（63a〜63c）の状態に基づいて調節する。
【００１２】
本開示の第４の態様は、上記第１の態様において、上記冷媒回路（6）は、上記加熱運転中に蒸発器として機能し得る冷却用熱交換器（54）と、上記熱源側熱交換器（13）に対応して設けられた開度可変の熱源側膨張弁（14）とを有し、上記制御器（100）は、上記加熱運転において上記熱源側熱交換器（13）が放熱器として機能し且つ上記冷却用熱交換器（54）が蒸発器として機能するときに、上記熱源側熱交換器（13）の出口における冷媒の温度が所定の熱源側基準温度となるように、上記熱源側膨張弁（14）の開度を調節することを特徴とする。
【００１３】
第４の態様では、制御器（100）が、熱源側膨張弁（14）の開度を調節する。加熱運転中に利用側熱交換器（64a〜64c）及び熱源側熱交換器（13）が放熱器として機能して冷却用熱交換器（54）が蒸発器として機能する場合、制御器（100）は、熱源側膨張弁（14）の開度を、熱源側熱交換器（13）の出口における冷媒の温度が所定の熱源側基準温度となるように調節する。また、この場合、制御器（100）は、膨張弁（63a〜63c）の開度を、利用側熱交換器（64a〜64c）の出口における冷媒の温度が基準温度となるように調節する。
【００１４】
本開示の第５の態様は、上記第１の態様において、上記熱源側熱交換器（13）へ室外空気を送る室外ファン（12）を備え、上記熱源側熱交換器（13）は、上記室外ファン（12）によって送られた室外空気を冷媒と熱交換させるように構成され、上記冷媒回路（6）は、上記加熱運転中に蒸発器として機能し得る冷却用熱交換器（54）を有し、上記制御器（100）は、上記加熱運転において上記熱源側熱交換器（13）が放熱器として機能し且つ上記冷却用熱交換器（54）が蒸発器として機能するときに、冷凍サイクルの高圧が所定の基準高圧となるように上記室外ファン（12）の送風量を調節することを特徴とする。
【００１５】
第５の態様では、制御器（100）が室外ファン（12）の送風量を調節する。加熱運転中に利用側熱交換器（64a〜64c）及び熱源側熱交換器（13）が放熱器として機能して冷却用熱交換器（54）が蒸発器として機能する場合、制御器（100）は、室外ファン（12）の送風量を、冷凍サイクルの高圧が基準高圧となるように調節する。
【図面の簡単な説明】
【００１６】
【図１】図１は、実施形態の冷凍装置の配管系統図である。
【図２】図２は、冷設運転の冷媒の流れを示した図１相当図である。
【図３】図３は、冷房運転の冷媒の流れを示した図１相当図である。
【図４】図４は、冷房/冷設運転の冷媒の流れを示した図１相当図である。
【図５】図５は、暖房運転の冷媒の流れを示した図１相当図である。
【図６】図６は、暖房/冷設運転の冷媒の流れを示した図１相当図である。
【図７】図７は、暖房/冷設熱回収運転の冷媒の流れを示した図１相当図である。
【図８】図８は、暖房/冷設余熱運転の冷媒の流れを示した図１相当図である。
【図９】図９は、制御器が行う制御動作を示す状態遷移図である。
【発明を実施するための形態】
【００１７】
以下、実施形態について図面を参照しながら説明する。
【００１８】
本実施形態の冷凍装置（1）は、冷却対象の冷却と、室内の空調とを同時に行えるように構成される。ここでいう冷却対象は、冷蔵庫、冷凍庫、ショーケースなどの設備内の空気を含む。以下では、このような設備を冷設と称する。
【００１９】
−冷凍装置の全体構成−
図１に示すように、冷凍装置（1）は、室外に設置される室外ユニット（10）と、庫内の空気を冷却する冷設ユニット（50a,50b）と、室内の空調を行う室内ユニット（60a〜60c）と、制御器（100）とを備える。本実施形態の冷凍装置（1）は、一台の室外ユニット（10）と、二台の冷設ユニット（50a,50b）と、三台の室内ユニット（60a〜60c）とを備える。なお、ここに示した室外ユニット（10）、冷設ユニット（50a,50b）、及び室内ユニット（60a〜60c）の台数は、単なる一例である。
【００２０】
冷凍装置（1）では、室外ユニット（10）と冷設ユニット（50a,50b）と室内ユニット（60a〜60c）とが４本の連絡配管（2,3,4,5）によって接続されることで、冷媒回路（6）が構成される。
【００２１】
４本の連絡配管（2,3,4,5）は、第１液連絡配管（2）、第１ガス連絡配管（3）、第２液連絡配管（4）、及び第２ガス連絡配管（5）で構成される。第１液連絡配管（2）及び第１ガス連絡配管（3）は、冷設ユニット（50a,50b）に対応する。第２液連絡配管（4）及び第２ガス連絡配管（5）は、室内ユニット（60a〜60c）に対応する。冷媒回路（6）では、二台の冷設ユニット（50a,50b）が互いに並列に接続され、三台の室内ユニット（60a〜60c）が互いに並列に接続される。
【００２２】
冷媒回路（6）では、冷媒が循環することで冷凍サイクルが行われる。本実施形態の冷媒回路（6）の冷媒は、二酸化炭素である。冷媒回路（6）は、冷媒が臨界圧力以上となる冷凍サイクルを行うように構成される。
【００２３】
−室外ユニット−
室外ユニット（10）は、屋外に設置される熱源ユニットである。室外ユニット（10）は、室外ファン（12）と、室外回路（11）とを有する。室外回路（11）は、圧縮部（C）、切換ユニット（30）、室外熱交換器（13）、室外膨張弁（14）、レシーバ（15）、冷却熱交換器（16）、及び中間冷却器（17）を有する。
【００２４】
〈圧縮部〉
圧縮部（C）は、冷媒を圧縮する。圧縮部（C）は、第１圧縮機（21）、第２圧縮機（22）、及び第３圧縮機（23）を有する。圧縮部（C）は、二段圧縮式に構成される。第２圧縮機（22）及び第３圧縮機（23）は、低段側圧縮機を構成する。第２圧縮機（22）及び第３圧縮機（23）は、互いに並列に接続される。第１圧縮機（21）は、高段側圧縮機を構成する。第１圧縮機（21）及び第２圧縮機（22）は、直列に接続される。第１圧縮機（21）及び第３圧縮機（23）は、直列に接続される。
【００２５】
第１圧縮機（21）、第２圧縮機（22）、及び第３圧縮機（23）は、流体機械である圧縮機構と、圧縮機構を駆動する電動機とを備えた密閉型圧縮機である。各圧縮機（21,22,23）は、その運転容量が可変である。具体的に、圧縮機（21,22,23）の電動機には、図外のインバータから交流が供給される。圧縮機（21,22,23）にインバータから供給される交流の周波数（圧縮機の運転周波数）を変更すると、電動機によって駆動される圧縮機構の回転速度が変化し、その結果、圧縮機（21,22,23）の運転容量が変化する。また、圧縮機（21,22,23）の運転容量が変化すると、圧縮部（C）の運転容量が変化する。
【００２６】
第１圧縮機（21）には、第１吸入管（21a）及び第１吐出管（21b）が接続される。第２圧縮機（22）には、第２吸入管（22a）及び第２吐出管（22b）が接続される。第３圧縮機（23）には、第３吸入管（23a）及び第３吐出管（23b）が接続される。
【００２７】
第２吸入管（22a）は、冷設ユニット（50a,50b）に連通する。第２圧縮機（22）は、冷設ユニット（50a,50b）に対応する冷設側圧縮機である。第３吸入管（23a）は、室内ユニット（60a〜60c）に連通する。第３圧縮機（23）は、室内ユニット（60a〜60c）に対応する室内側圧縮機である。
【００２８】
〈切換ユニット〉
切換ユニット（30）は、冷媒回路（6）における冷媒の流通経路を切り換える。切換ユニット（30）は、第１配管（31）、第２配管（32）、第３配管（33）、第４配管（34）、第１三方弁（TV1）、及び第２三方弁（TV2）を有する。第１配管（31）の流入端と、第２配管（32）の流入端とは、第１吐出管（21b）に接続する。第１配管（31）及び第２配管（32）は、圧縮部（C）の吐出圧が作用する配管である。第３配管（33）の流出端と、第４配管（34）の流出端とは、第３圧縮機（23）の第３吸入管（23a）に接続する。第３配管（33）及び第４配管（34）は、圧縮部（C）の吸入圧が作用する配管である。
【００２９】
第１三方弁（TV1）は、第１ポート（P1）、第２ポート（P2）、及び第３ポート（P3）を有する。第１三方弁（TV1）の第１ポート（P1）は、高圧流路である第１配管（31）の流出端に接続する。第１三方弁（TV1）の第２ポート（P2）は、低圧流路である第３配管（33）の流入端に接続する。第１三方弁（TV1）の第３ポート（P3）は、室内ガス側流路（35）に接続する。
【００３０】
第２三方弁（TV2）は、第１ポート（P1）、第２ポート（P2）、及び第３ポート（P3）を有する。第２三方弁（TV2）の第１ポート（P1）は、高圧流路である第２配管（32）の流出端に接続する。第２三方弁（TV2）の第２ポート（P2）は、低圧流路である第４配管（34）の流入端に接続する。第２三方弁（TV2）の第３ポート（P3）は、室外ガス側流路（36）に接続する。
【００３１】
第１三方弁（TV1）及び第２三方弁（TV2）は、電動式の三方弁である。各三方弁（TV1,TV2）は、第１状態（図１の実線で示す状態）と第２状態（図１の破線で示す状態）とにそれぞれ切り換わる。第１状態の各三方弁（TV1,TV2）では、第１ポート（P1）と第３ポート（P3）とが連通し、且つ第２ポート（P2）が閉鎖される。第２状態の各三方弁（TV1,TV2）では、第２ポート（P2）と第３ポート（P3）とが連通し、第１ポート（P1）が閉鎖される。
【００３２】
〈室外熱交換器〉
室外熱交換器（13）は、熱源側熱交換器である。室外熱交換器（13）は、フィン・アンド・チューブ型の空気熱交換器である。室外ファン（12）は、室外熱交換器（13）の近傍に配置される。室外ファン（12）は、室外空気を搬送する。室外熱交換器は、その内部を流れる冷媒と、室外ファン（12）が搬送する室外空気とを熱交換させる。
【００３３】
室外熱交換器（13）のガス端には、室外ガス側流路（36）が接続される。室外熱交換器（13）の液端には、室外流路（O）が接続される。
【００３４】
〈室外流路〉
室外流路（O）は、室外第１管（o1）、室外第２管（o2）、室外第３管（o3）、室外第４管（o4）、室外第５管（o5）、室外第６管（o6）、及び室外第７管（o7）を含む。
【００３５】
室外第１管（o1）の一端は、室外熱交換器（13）の液端に接続される。室外第１管（o1）の他端には、室外第２管（o2）の一端、及び室外第３管（o3）の一端がそれぞれ接続される。室外第２管（o2）の他端は、レシーバ（15）の頂部に接続される。室外第４管（o4）の一端は、レシーバ（15）の底部に接続される。室外第４管（o4）の他端には、室外第５管（o5）の一端、及び室外第３管（o3）の他端がそれぞれ接続される。室外第５管（o5）の他端は、第１液連絡配管（2）に接続する。室外第６管（o6）の一端は、室外第５管（o5）の途中に接続する。室外第６管（o6）の他端は、第２液連絡配管（4）に接続する。室外第７管（o7）の一端は、室外第６管（o6）の途中に接続する。室外第7管（o7）の他端は、室外第２管（o2）の途中に接続する。
【００３６】
〈室外膨張弁〉
室外膨張弁（14）は、室外第１管（o1）に接続される。室外膨張弁（14）は、熱源側膨張弁である。室外膨張弁（14）は、開度が可変な電子膨張弁である。
【００３７】
〈レシーバ〉
レシーバ（15）は、冷媒を貯留する容器を構成している。レシーバ（15）では、冷媒がガス冷媒と液冷媒とに分離される。レシーバ（15）の頂部には、室外第２管（o2）の他端と、ガス抜き管（37）の一端が接続される。ガス抜き管（37）の他端は、インジェクション管（38）の途中に接続される。ガス抜き管（37）には、ガス抜き弁（39）が接続される。ガス抜き弁（39）は、開度が可変な電子膨張弁である。
【００３８】
〈冷却熱交換器〉
冷却熱交換器（16）は、レシーバ（15）で分離された冷媒（主として液冷媒）を冷却する。冷却熱交換器（16）は、第１冷媒流路（16a）と、第２冷媒流路（16b）とを有する。第１冷媒流路（16a）は、室外第４管（o4）の途中に接続される。第２冷媒流路（16b）は、インジェクション管（38）の途中に接続される。
【００３９】
インジェクション管（38）の一端は、室外第５管（o5）の途中に接続される。インジェクション管（38）の他端は、第１圧縮機（21）の第１吸入管（21a）に接続される。換言すると、インジェクション管（38）の他端は、圧縮部（C）の中間圧力部分に接続される。インジェクション管（38）には、第２冷媒流路（16b）よりも上流側に減圧弁（40）が設けられる。減圧弁（40）は、開度が可変な膨張弁である。
【００４０】
冷却熱交換器（16）では、第１冷媒流路（16a）を流れる冷媒と、第２冷媒流路（16b）を流れる冷媒とが熱交換する。第２冷媒流路（16b）は、減圧弁（40）で減圧された冷媒が流れる。従って、冷却熱交換器（16）では、第１冷媒流路（16a）を流れる冷媒が冷却される。
【００４１】
〈中間冷却器〉
中間冷却器（17）は、中間流路（41）に接続される。中間流路（41）の一端は、第２圧縮機（22）の第２吐出管（22b）、及び第３圧縮機（23）の第３吐出管（23b）に接続される。中間流路（41）の他端は、第１圧縮機（21）の第１吸入管（21a）に接続される。換言すると、中間流路（41）の他端は、圧縮部（C）の中間圧力部に接続される。
【００４２】
中間冷却器（17）は、フィン・アンド・チューブ型の空気熱交換器である。中間冷却器（17）の近傍には、冷却ファン（17a）が配置される。中間冷却器（17）は、その内部を流れる冷媒と、冷却ファン（17a）が搬送する室外空気とを熱交換させる。
【００４３】
〈油分離回路〉
室外回路（11）は、油分離回路（42）を含む。油分離回路（42）は、油分離器（43）と、第１油戻し管（44）と、第２油戻し管（45）とを有する。
【００４４】
油分離器（43）は、第１圧縮機（21）の第１吐出管（21b）に接続される。油分離器（43）は、圧縮部（C）から吐出された冷媒中から油を分離する。第１油戻し管（44）の流入端は、油分離器（43）に接続される。第１油戻し管（44）の流出端は、第２圧縮機（22）の第２吸入管（22a）に接続される。第２油戻し管（45）の流出端は、第３圧縮機（23）の第３吸入管（23a）に接続される。第１油戻し管（44）には、第１油量調節弁（46）が接続される。第２油戻し管（45）には、第２油量調節弁（47）が接続される。
【００４５】
油分離器（43）で分離された油は、第１油戻し管（44）を介して第２圧縮機（22）に戻される。油分離器（43）で分離された油は、第２油戻し管（45）を介して第３圧縮機（23）に戻される。なお、油分離器（43）で分離された油を、第２圧縮機（22）のケーシング内の油溜まりに直接戻してもよい。油分離器（43）で分離された油を、第３圧縮機（23）のケーシング内の油溜まりに直接戻してもよい。
【００４６】
〈逆止弁〉
室外回路（11）は、第１逆止弁（CV1）、第２逆止弁（CV2）、第３逆止弁（CV3）、第４逆止弁（CV4）、第５逆止弁（CV5）、第６逆止弁（CV6）、及び第７逆止弁（CV7）を有する。
【００４７】
第１逆止弁（CV1）は、第１吐出管（21b）に接続される。第２逆止弁（CV2）は、第２吐出管（22b）に接続される。第３逆止弁（CV3）は、第３吐出管（23b）に接続される。第４逆止弁（CV4）は、室外第２管（o2）に接続される。第５逆止弁（CV5）は、室外第３管（o3）に接続される。第６逆止弁（CV6）は、室外第６管（o6）に接続される。第７逆止弁（CV7）は、室外第７管（o7）に接続される。これらの逆止弁（CV1〜CV7）は、図１に示す矢印方向の冷媒の流れを許容し、この矢印と反対方向の冷媒の流れを禁止する。
【００４８】
〈センサ〉
室外回路（11）には、吐出圧センサ（90）と、第１吸入圧センサ（91）と、第２吸入圧センサ（92）と、第１吐出温度センサ（93）と、第２吐出温度センサ（94）と、室外冷媒温度センサ（95）とが設けられる。
【００４９】
吐出圧センサ（90）は、第１圧縮機（21）の第１吐出管（21b）に設けられ、第１圧縮機（21）から吐出された冷媒の圧力を計測する。第１吸入圧センサ（91）は、第２圧縮機（22）の第２吸入管（22a）に設けられ、第２圧縮機（22）へ吸入される冷媒の圧力を計測する。第２吸入圧センサ（92）は、第３圧縮機（23）の第３吸入管（23a）に設けられ、第３圧縮機（23）へ吸入される冷媒の圧力を計測する。
【００５０】
第１吐出温度センサ（93）は、第２圧縮機（22）の第２吐出管（22b）に設けられ、第２圧縮機（22）から吐出された冷媒の温度を計測する。第２吐出温度センサ（94）は、第３圧縮機（23）の第３吐出管（23b）に設けられ、第３圧縮機（23）から吐出された冷媒の温度を計測する。室外冷媒温度センサ（95）は、室外第１管（o1）に接続する室外熱交換器（13）の液端に設けられ、放熱器として機能する室外熱交換器（13）から流出した冷媒の温度を計測する。
【００５１】
−冷設ユニット−
冷設ユニット（50a,50b）は、例えばコンビニエンスストア等の店内に設置された冷蔵ショーケースである。各冷設ユニット（50a,50b）は、庫内ファン（52）と冷設回路（51）とを有する。各冷設回路（51）の液端には、第１液連絡配管（2）が接続される。各冷設回路（51）のガス端には、第１ガス連絡配管（3）が接続される。
【００５２】
各冷設回路（51）は、冷設膨張弁（53）と冷設熱交換器（54）とを有する。冷設膨張弁（53）と冷設熱交換器（54）とは、冷設回路（51）の液端からガス端に向かって順に配置される。冷設膨張弁（53）は、第１の利用膨張弁である。冷設膨張弁（53）は、開度が可変な電子膨張弁で構成される。
【００５３】
冷設熱交換器（54）は、冷却用熱交換器である。冷設熱交換器（54）は、フィン・アンド・チューブ型の空気熱交換器である。庫内ファン（52）は、冷設熱交換器（54）の近傍に配置される。庫内ファン（52）は、庫内空気を搬送する。冷設熱交換器（54）は、その内部を流れる冷媒と、庫内ファン（52）が搬送する庫内空気とを熱交換させる。
【００５４】
−室内ユニット−
室内ユニット（60a〜60c）は、利用側ユニットであって、屋内に設置される。室内ユニット（60a〜60c）は、室内空間を対象空間とし、室内空間の空気調和を行う。各室内ユニット（60a〜60c）は、室内ファン（62）と室内回路（61a〜61c）とを有する。室内回路（61a〜61c）の液端には、第２液連絡配管（4）が接続される。室内回路（61a〜61c）のガス端には、第２ガス連絡配管（5）が接続される。
【００５５】
各室内回路（61a〜61c）は、利用側回路である。各室内回路（61a〜61c）は、室内膨張弁（63a〜63c）と室内熱交換器（64a〜64c）とを一つずつを有する。室内膨張弁（63a〜63c）と室内熱交換器（64a〜64c）とは、室内回路（61a〜61c）の液端からガス端に向かって順に配置される。室内膨張弁（63a〜63c）は、第２の利用膨張弁である。室内膨張弁（63a〜63c）は、開度が可変な電子膨張弁である。
【００５６】
室内熱交換器（64a〜64c）は、利用側熱交換器である。室内熱交換器（64a〜64c）は、フィン・アンド・チューブ型の空気熱交換器である。室内ファン（62）は、室内熱交換器（64a〜64c）の近傍に配置される。室内ファン（62）は、室内空気を搬送する。室内熱交換器（64a〜64c）は、その内部を流れる冷媒と、室内ファン（62）が搬送する室内空気とを熱交換させる。
【００５７】
各室内回路（61a〜61c）には、室内冷媒温度センサ（96a〜96c）が設けられる。各室内回路（61a〜61c）において、室内冷媒温度センサ（96a〜96c）は、室内熱交換器（64a〜64c）と室内膨張弁（63a〜63c）を繋ぐ配管に設けられる。室内冷媒温度センサ（96a〜96c）は、放熱器として機能する室内熱交換器（64a〜64c）から流出した冷媒の温度を計測する。
【００５８】
各室内ユニット（60a〜60c）には、室内空気温度センサ（97a〜97c）が設けられる。室内空気温度センサ（97a〜97c）は、室内ユニット（60a〜60c）へ吸い込まれた空気の温度を、室内熱交換器（64a〜64c）の上流において計測する。室内空気温度センサ（97a〜97c）の計測値は、室内ユニット（60a〜60c）が設置された室内空間の温度（具体的には、室内空間の気温）と実質的に等しい。
【００５９】
−制御器−
制御器（100）は、室外制御器（110）と、室内制御器（115a〜115c）とを備える。室外制御器（110）は、室外ユニット（10）に設けられる。室内制御器（115a〜115c）は、各室内ユニット（60a〜60c）に一つずつ設けられる。制御器（100）には、室内ユニット（60a〜60c）と同数（本実施形態では三つ）の室内制御器（115a〜115c）が設けられる。室外制御器（110）と各室内制御器（115a〜115c）は、互いに有線通信または無線通信を行う。
【００６０】
室外制御器（110）は、演算処理を行う中央演算処理装置／ＣＰＵ（111）と、プログラム及びデータ等を記憶するメモリ（112）とを備える。個別制御器は、ＣＰＵ（111）がメモリ（112）に記録されたプログラムを実行することによって、室外ユニット（10）に設けられた機器の動作を制御する制御動作を行う。
【００６１】
図示しないが、各室内制御器（115a〜115c）は、室外制御器（110）と同様に、演算処理を行う中央演算処理装置／ＣＰＵと、プログラム及びデータ等を記憶するメモリとを備える。室内制御器（115a〜115c）は、ＣＰＵがメモリに記録されたプログラムを実行することによって、室内ユニット（60a〜60c）に設けられた機器の動作を制御する制御動作を行う。つまり、各室内ユニット（60a〜60c）の室内制御器（115a〜115c）は、それが設けられた室内ユニット（60a〜60c）の運転を制御する。
【００６２】
なお、本実施形態の冷凍装置（1）において、制御器（100）は、室外ユニット（10）又はいずれか一つの室内ユニット（60a〜60c）に設けられた単一の制御ユニットによって構成されていてもよい。
【００６３】
−冷凍装置の運転動作−
冷凍装置（1）の運転動作について説明する。冷凍装置（1）は、冷設運転、冷房運転、冷房/冷設運転、暖房運転、暖房/冷設運転、暖房/冷設熱回収運転、及び暖房/冷設余熱運転を選択的に行う。
【００６４】
〈冷設運転〉
図２に示すように、冷設運転では、冷設ユニット（50a,50b）が作動し、室内ユニット（60a〜60c）が停止する。
【００６５】
冷設運転では、第１三方弁（TV1）が第２状態となり、第２三方弁（TV2）が第１状態となる。室外膨張弁（14）が所定開度で開放され、冷設膨張弁（53）の開度が過熱度制御により調節され、室内膨張弁（63a〜63c）が全閉状態となり、減圧弁（40）の開度が適宜調節される。室外ファン（12）及び庫内ファン（52）が作動し、室内ファン（62）が停止する。第１圧縮機（21）及び第２圧縮機（22）が作動し、第３圧縮機（23）が停止する。
【００６６】
冷設運転において、冷媒回路（6）では冷凍サイクルが行われ、室外熱交換器（13）が放熱器として機能し、冷設熱交換器（54）が蒸発器として機能する。
【００６７】
第２圧縮機（22）で圧縮された冷媒は、中間冷却器（17）で冷却された後、第１圧縮機（21）に吸入される。第１圧縮機（21）で圧縮された冷媒は、室外熱交換器（13）で放熱し、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷却熱交換器（16）で蒸発した冷媒は、第２圧縮機（22）に吸入され、再び圧縮される。
【００６８】
〈冷房運転〉
図３に示すように、冷房運転では、冷設ユニット（50a,50b）が停止し、室内ユニット（60a〜60c）が冷房を行う。
【００６９】
冷房運転では、第１三方弁（TV1）が第２状態となり、第２三方弁（TV2）が第１状態となる。室外膨張弁（14）が所定開度で開放され、冷設膨張弁（53）が全閉状態となり、室内膨張弁（63a〜63c）の開度が過熱度制御により調節され、減圧弁（40）の開度が適宜調節される。室外ファン（12）及び室内ファン（62）が作動し、庫内ファン（52）が停止する。第１圧縮機（21）及び第３圧縮機（23）が作動し、第２圧縮機（22）が停止する。
【００７０】
冷房運転において、冷媒回路（6）では冷凍サイクルが行われ、室外熱交換器（13）が放熱器として機能し、室内熱交換器（64a〜64c）が蒸発器として機能する。
【００７１】
第３圧縮機（23）で圧縮された冷媒は、中間冷却器（17）で冷却された後、第１圧縮機（21）に吸入される。第１圧縮機（21）で圧縮された冷媒は、室外熱交換器（13）で放熱し、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、室内膨張弁（63a〜63c）で減圧された後、室内熱交換器（64a〜64c）で蒸発する。この結果、室内空気が冷却される。室内熱交換器（64a〜64c）で蒸発した冷媒は、第３圧縮機（23）に吸入され、再び圧縮される。
【００７２】
〈冷房/冷設運転〉
図４に示すように、冷房/冷設運転では、冷設ユニット（50a,50b）が作動し、室内ユニット（60a〜60c）が冷房を行う。
【００７３】
冷房/冷設運転では、第１三方弁（TV1）が第２状態となり、第２三方弁（TV2）が第１状態となる。室外膨張弁（14）が所定開度で開放され、冷設膨張弁（53）及び室内膨張弁（63a〜63c）の各開度が過熱度制御により調節され、減圧弁（40）の開度が適宜調節される。室外ファン（12）、庫内ファン（52）、及び室内ファン（62）が作動する。第１圧縮機（21）、第２圧縮機（22）、及び第３圧縮機（23）が作動する。
【００７４】
冷房/冷設運転において、冷媒回路（6）では冷凍サイクルが行われ、室外熱交換器（13）が放熱器として機能し、冷設熱交換器（54）及び室内熱交換器（64a〜64c）が蒸発器として機能する。
【００７５】
第２圧縮機（22）及び第３圧縮機（23）でそれぞれ圧縮された冷媒は、中間冷却器（17）で冷却された後、第１圧縮機（21）に吸入される。第１圧縮機（21）で圧縮された冷媒は、室外熱交換器（13）で放熱し、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、冷設ユニット（50a,50b）と室内ユニット（60a〜60c）とに分流する。
【００７６】
冷設膨張弁（53）で減圧された冷媒は、冷設熱交換器（54）で蒸発する。この結果、庫内空気が冷却される。冷設熱交換器（54）で蒸発した冷媒は、第２圧縮機（22）に吸入され、再び圧縮される。一方、室内膨張弁（63a〜63c）で減圧された冷媒は、室内熱交換器（64a〜64c）で蒸発する。この結果、室内空気が冷却される。室内熱交換器（64a〜64c）で蒸発した冷媒は、第３圧縮機（23）に吸入され、再び圧縮される。
【００７７】
〈暖房運転〉
図５に示すように、暖房運転では、冷設ユニット（50a,50b）が停止し、室内ユニット（60a〜60c）が暖房を行う。
【００７８】
暖房運転では、第１三方弁（TV1）が第１状態となり、第２三方弁（TV2）が第２状態となる。室内膨張弁（63a〜63c）の開度が適宜調節され、冷設膨張弁（53）が全閉状態となり、室外膨張弁（14）の開度が過熱度制御により調節され、減圧弁（40）の開度が適宜調節される。室外ファン（12）及び室内ファン（62）が作動し、庫内ファン（52）が停止する。第１圧縮機（21）及び第３圧縮機（23）が作動し、第２圧縮機（22）が停止する。
【００７９】
暖房運転において、冷媒回路（6）では冷凍サイクルが行われ、室内熱交換器（64a〜64c）が放熱器として機能し、室外熱交換器（13）が蒸発器として機能する。この暖房運転は、加熱運転である。
【００８０】
第３圧縮機（23）で圧縮された冷媒は、第１圧縮機（21）に吸入される。第１圧縮機（21）で圧縮された冷媒は、室内熱交換器（64a〜64c）で放熱する。この結果、室内空気が加熱される。室内熱交換器（64a〜64c）で放熱した冷媒は、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、室外膨張弁（14）で減圧された後、室外熱交換器（13）で蒸発する。室外熱交換器（13）で蒸発した冷媒は、第３圧縮機（23）に吸入され、再び圧縮される。
【００８１】
〈暖房/冷設運転〉
図６に示すように、暖房/冷設運転では、冷設ユニット（50a,50b）が作動し、室内ユニット（60a〜60c）が暖房を行う。
【００８２】
暖房/冷設運転では、第１三方弁（TV1）が第１状態となり、第２三方弁（TV2）が第２状態となる。室内膨張弁（63a〜63c）の開度が適宜調節され、冷設膨張弁（53）及び室外膨張弁（14）の開度が過熱度制御により調節され、減圧弁（40）の開度が適宜調節される。室外ファン（12）、庫内ファン（52）、及び室内ファン（62）が作動する。第１圧縮機（21）、第２圧縮機（22）、及び第３圧縮機（23）が作動する。
【００８３】
暖房/冷設運転において、冷媒回路（6）では冷凍サイクルが行われ、室内熱交換器（64a〜64c）が放熱器として機能し、冷設熱交換器（54）及び室外熱交換器（13）が蒸発器として機能する。この暖房/冷設運転は、加熱運転である。
【００８４】
第２圧縮機（22）及び第３圧縮機（23）のそれぞれにおいて圧縮された冷媒は、第１圧縮機（21）に吸入される。第１圧縮機（21）で圧縮された冷媒は、室内熱交換器（64a〜64c）で放熱する。この結果、室内空気が加熱される。室内熱交換器（64a〜64c）で放熱した冷媒は、室外膨張弁（14）を通過するときに減圧されて気液二相状態になり、レシーバ（15）へ流入する。レシーバ（15）から流出した冷媒は、冷却熱交換器（16）で冷却される。
【００８５】
冷却熱交換器（16）で冷却された冷媒の一部は、室外膨張弁（14）で減圧された後、室外熱交換器（13）で蒸発する。室外熱交換器（13）で蒸発した冷媒は、第３圧縮機（23）に吸入され、再び圧縮される。一方、冷却熱交換器（16）で冷却された冷媒の残りは、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【００８６】
〈暖房/冷設熱回収運転〉
図７に示すように、暖房/冷設熱回収運転では、冷設ユニット（50a,50b）が作動し、室内ユニット（60a〜60c）が暖房を行う。
【００８７】
暖房/冷設熱回収運転は、第１三方弁（TV1）が第１状態となり、第２三方弁（TV2）が第２状態となる。室内膨張弁（63a〜63c）の開度が適宜調節され、室外膨張弁（14）が全閉状態となり、冷設膨張弁（53）の開度が過熱度制御により調節され、減圧弁（40）の開度が適宜調節される。室内ファン（62）及び庫内ファン（52）が運転され、室外ファン（12）が停止する。第１圧縮機（21）及び第２圧縮機（22）が運転され、第３圧縮機（23）は停止する。
【００８８】
暖房/冷設熱回収運転において、冷媒回路（6）では冷凍サイクルが行われ、室内熱交換器（64a〜64c）が放熱器として機能し、冷設熱交換器（54）が蒸発器として機能する。暖房/冷設熱回収運転において、室外熱交換器（13）は、実質的に休止する。この暖房/冷設熱回収運転は、加熱運転である。
【００８９】
第２圧縮機（22）で圧縮された冷媒は、第１圧縮機（21）に吸入される。第１圧縮機（21）で圧縮された冷媒は、室内熱交換器（64a〜64c）で放熱する。この結果、室内空気が加熱される。室内熱交換器（64a〜64c）で放熱した冷媒は、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【００９０】
〈暖房/冷設余熱運転〉
図８に示すように、暖房/冷設余熱運転では、冷設ユニット（50a,50b）が作動し、室内ユニット（60a〜60c）が暖房を行う。
【００９１】
暖房/冷設余熱運転では、第１三方弁（TV1）が第１状態となり、第２三方弁（TV2）が第１状態となる。室内膨張弁（63a〜63c）及び室外膨張弁（14）の開度が適宜調節され、冷設膨張弁（53）の開度が過熱度制御により調節され、減圧弁（40）の開度が適宜調節される。室外ファン（12）、庫内ファン（52）、及び室内ファン（62）が作動する。第１圧縮機（21）及び第２圧縮機（22）が作動し、第３圧縮機（23）が停止する。
【００９２】
暖房/冷設余熱運転では、において、冷媒回路（6）では冷凍サイクルが行われ、室内熱交換器（64a〜64c）及び室外熱交換器（13）が放熱器として機能し、冷設熱交換器（54）が蒸発器として機能する。この暖房/冷設余熱運転は、加熱運転である。
【００９３】
第２圧縮機（22）で圧縮された冷媒は、第１圧縮機（21）に吸入される。第１圧縮機（21）で圧縮された冷媒の一部は、室外熱交換器（13）で放熱する。第１圧縮機（21）で圧縮された冷媒の残りは、室内熱交換器（64a〜64c）で放熱する。この結果、室内空気が加熱される。室外熱交換器（13）で放熱した冷媒と、室内熱交換器（64a〜64c）で放熱した冷媒とは、合流した後に室外膨張弁（14）を通過し、室外膨張弁（14）を通過するときに減圧されて気液二相状態になり、レシーバ（15）へ流入する。レシーバ（15）から流出した冷媒は、冷却熱交換器（16）で冷却される。冷却熱交換器（16）で冷却された冷媒は、冷設膨張弁（53）で減圧された後、冷設熱交換器（54）で蒸発する。この結果、庫内空気が冷却される。冷設熱交換器（54）で蒸発した冷媒は、第２圧縮機（22）に吸入され、再び圧縮される。
【００９４】
−制御器の制御動作−
制御器（100）が行う制御動作について説明する。ここでは、加熱運転である暖房運転、暖房/冷設運転、暖房/冷設熱回収運転、及び暖房/冷設余熱運転において、制御器（100）が行う制御動作を説明する。
【００９５】
暖房運転、暖房/冷設運転、暖房/冷設熱回収運転、及び暖房/冷設余熱運転のそれぞれでは、通常、冷凍サイクルの高圧（具体的には、圧縮部（C）から吐出される冷媒の圧力）が、冷媒（本実施形態では、二酸化炭素）の臨界圧力以上となる。そして、これらの運転では、室内熱交換器（64a〜64c）が放熱器（ガスクーラ）として機能する。
【００９６】
〈室内制御器の制御動作（１）〉
各室内ユニット（60a〜60c）において、室内制御器（115a〜115c）には、ユーザーによって設定温度が入力される。室内制御器（115a〜115c）は、そのメモリに設定温度を記憶する。設定温度は、室内ユニット（60a〜60c）毎に個別に設定可能である。従って、各室内制御器（115a〜115c）が記憶する設定温度は、一致する場合もあれば相違する場合もある。
【００９７】
各室内ユニット（60a〜60c）において、室内制御器（115a〜115c）は、メモリが記憶する設定温度と、室内空気温度センサ（97a〜97c）の計測値とに基づいて、室内ユニット（60a〜60c）の運転を制御する。具体的に、第１室内制御器（115a）は、設定温度と第１室内空気温度センサ（97a）の計測値とに基づいて、第１室内ユニット（60a）を制御する。第２室内制御器（115b）は、設定温度と第２室内空気温度センサ（97b）の計測値とに基づいて、第２室内ユニット（60b）を制御する。第３室内制御器（115c）は、設定温度と第３室内空気温度センサ（97c）の計測値とに基づいて、第３室内ユニット（60c）を制御する。
【００９８】
各室内制御器（115a〜115c）は、室内空気温度センサ（97a〜97c）の計測値が設定温度となるように、室内ユニット（60a〜60c）を制御する。具体的に、各室内制御器（115a〜115c）は、室内空気温度センサ（97a〜97c）の計測値が“設定温度を含む第１温度範囲（例えば、設定温度±１℃の範囲）”となるように、室内ユニット（60a〜60c）を作動させ、または停止させる。
【００９９】
室内ユニット（60a〜60c）の暖房中に室内空気温度センサ（97a〜97c）の計測値が第１温度範囲の上限（例えば、設定温度＋１℃）を上回ると、室内制御器（115a〜115c）は、室内膨張弁（63a〜63c）を全閉し、室内熱交換器（64a〜64c）における空気の加熱を休止させる。その状態の室内ユニット（60a〜60c）において、室内ファン（62）は作動し続ける。一方、室内熱交換器（64a〜64c）における空気の加熱の休止中に室内空気温度センサ（97a〜97c）の計測値が第１温度範囲の下限（例えば、設定温度−１℃）を下回ると、室内制御器（115a〜115c）は、室内膨張弁（63a〜63c）を開き、室内熱交換器（64a〜64c）における空気の加熱を再開させる。
【０１００】
なお、室内ユニット（60a〜60c）の暖房中に室内空気温度センサ（97a〜97c）の計測値が第１温度範囲の上限を上回ったときに、室内制御器（115a〜115c）は、室内膨張弁（63a〜63c）を、全閉ではなく、微少な開度である第１開度に保持してもよい。この場合において、室内熱交換器（64a〜64c）における空気の加熱の休止中に室内空気温度センサ（97a〜97c）の計測値が第１温度範囲の下限を下回ると、室内制御器（115a〜115c）は、室内制御器（115a〜115c）の開度を第１開度よりも拡大し、室内熱交換器（64a〜64c）における空気の加熱を再開させる。
【０１０１】
〈室内制御器の制御動作（２）〉
各室内ユニット（60a〜60c）の室内制御器（115a〜115c）は、室外制御器（110）から送信された基準温度を、そのメモリに記憶する。室外制御器（110）が基準温度を決定する動作については、後ほど説明する。
【０１０２】
各室内ユニット（60a〜60c）において、室内制御器（115a〜115c）は、メモリが記憶する基準温度と、室内冷媒温度センサ（96a〜96c）の計測値とに基づいて、室内膨張弁（63a〜63c）の開度を制御する。具体的に、第１室内制御器（115a）は、基準温度と第１室内冷媒温度センサ（96a）の計測値とに基づいて、第１室内膨張弁（63a）の開度を制御する。第２室内制御器（115b）は、基準温度と第２室内冷媒温度センサ（96b）の計測値とに基づいて、第２室内膨張弁（63b）の開度を制御する。第３室内制御器（115c）は、基準温度と第３室内冷媒温度センサ（96c）の計測値とに基づいて、第３室内膨張弁（63c）の開度を制御する。
【０１０３】
各室内制御器（115a〜115c）は、室内冷媒温度センサ（96a〜96c）の計測値が基準温度となるように、室内膨張弁（63a〜63c）の開度を制御する。
【０１０４】
具体的に、室内ユニット（60a〜60c）の暖房中に室内冷媒温度センサ（96a〜96c）の計測値が基準温度を上回ると、室内制御器（115a〜115c）は、室内膨張弁（63a〜63c）の開度を縮小し、室内熱交換器（64a〜64c）を流れる冷媒の流量を減らす。室内熱交換器（64a〜64c）を流れる冷媒の流量が減ると、室内熱交換器（64a〜64c）から流出する冷媒の温度が低下する。
【０１０５】
一方、室内ユニット（60a〜60c）の暖房中に室内冷媒温度センサ（96a〜96c）の計測値が基準温度を下回ると、室内制御器（115a〜115c）は、室内膨張弁（63a〜63c）の開度を拡大し、室内熱交換器（64a〜64c）を流れる冷媒の流量を増やす。室内熱交換器（64a〜64c）を流れる冷媒の流量が増えると、室内熱交換器（64a〜64c）から流出する冷媒の温度が上昇する。
【０１０６】
〈室外制御器の制御動作（１）〉
室外制御器（110）は、各室内ユニット（60a〜60c）の室内制御器（115a〜115c）が送信した設定温度を受信し、それをメモリ（112）に記録する。そして、室外制御器（110）は、メモリ（112）に記録した各室内ユニット（60a〜60c）の設定温度に基づいて、基準温度を決定する。
【０１０７】
具体的に、室外制御器（110）は、メモリ（112）に記録した各室内ユニット（60a〜60c）の設定温度のうち最も高いものを選択し、その最も高い設定温度よりも高い温度（例えば、最も高い設定温度＋５℃）を、基準温度に決定する。室外制御器（110）は、決定した基準温度を、各室内制御器（115a〜115c）へ送信する。室外制御器（110）が各室内制御器（115a〜115c）へ送信する基準温度は、全て同じ値である。
【０１０８】
〈室外制御器の制御動作（２）〉
室外制御器（110）は、熱源側基準温度を決定し、それをメモリ（112）に記録する。本実施形態の室外制御器（110）は、各室内ユニット（60a〜60c）の設定温度に基づいて決定した基準温度と同じ値を、熱源側基準温度に決定する。なお、室外制御器（110）は、基準温度と異なる値を熱源側基準温度に決定してもよい。
【０１０９】
室外熱交換器（13）が放熱器（ガスクーラ）として機能する暖房/冷設余熱運転において、室外制御器（110）は、メモリ（112）が記憶する熱源側基準温度と、室外冷媒温度センサ（95）の計測値とに基づいて、室外膨張弁（14）の開度を制御する。
【０１１０】
室外制御器（110）は、室外冷媒温度センサ（95）の計測値が熱源側基準温度となるように、室外膨張弁（14）の開度を制御する。
【０１１１】
具体的に、室外冷媒温度センサ（95）の計測値が熱源側基準温度を上回ると、室外制御器（110）は、室外膨張弁（14）の開度を縮小し、室外熱交換器（13）を流れる冷媒の流量を減らす。室外熱交換器（13）を流れる冷媒の流量が減ると、室外熱交換器（13）から流出する冷媒の温度が低下する。
【０１１２】
一方、暖房/冷設余熱運転中に室外冷媒温度センサ（95）の計測値が熱源側基準温度を下回ると、室外制御器（110）は、室外膨張弁（14）の開度を拡大し、室外熱交換器（13）を流れる冷媒の流量を増やす。室外熱交換器（13）を流れる冷媒の流量が増えると、室外熱交換器（13）から流出する冷媒の温度が上昇する。
【０１１３】
〈室外制御器の制御動作（３）〉
室外熱交換器（13）が蒸発器として機能する暖房運転および暖房/冷設運転において、室外制御器（110）は、メモリ（112）に記録された基準高圧と、吐出圧センサ（90）の計測値とに基づいて、圧縮部（C）の運転を制御する。
【０１１４】
室外制御器（110）は、吐出圧センサ（90）の計測値が基準高圧となるように、圧縮部（C）の運転を制御する。具体的に、室外制御器（110）は、吐出圧センサ（90）の計測値が“基準高圧を含む高圧範囲（例えば、基準高圧±３００ｋＰａの範囲）”となるように、第３圧縮機（23）の運転容量を制御する。
【０１１５】
吐出圧センサ（90）の計測値が高圧範囲の上限（例えば、基準高圧＋３００ｋＰａ）を上回ると、室外制御器（110）は、第３圧縮機（23）の運転周波数を引き下げ、第３圧縮機（23）の運転容量を減らす。第３圧縮機（23）の運転容量が減ると、第１圧縮機（21）へ吸入される冷媒の圧力が低下し、その結果、第１圧縮機（21）から吐出される冷媒の圧力が低下する。
【０１１６】
一方、吐出圧センサ（90）の計測値が高圧範囲の下限（例えば、基準高圧−３００ｋＰａ）を下回ると、室外制御器（110）は、第３圧縮機（23）の運転周波数を引き上げ、第３圧縮機（23）の運転容量を増やす。第３圧縮機（23）の運転容量が増えると、第１圧縮機（21）へ吸入される冷媒の圧力が上昇し、その結果、第１圧縮機（21）から吐出される冷媒の圧力が上昇する。
【０１１７】
〈室外制御器の制御動作（４）〉
室外熱交換器（13）が放熱器（ガスクーラ）として機能する暖房/冷設余熱運転において、室外制御器（110）は、メモリ（112）に記録された基準高圧と、吐出圧センサ（90）の計測値とに基づいて、室外ファン（12）の運転を制御する。
【０１１８】
室外制御器（110）は、吐出圧センサ（90）の計測値が基準高圧となるように、室外ファン（12）の運転を制御する。具体的に、室外制御器（110）は、吐出圧センサ（90）の計測値が“基準高圧を含む高圧範囲（例えば、基準高圧±３００ｋＰａの範囲）”となるように、室外ファン（12）の送風量を制御する。
【０１１９】
吐出圧センサ（90）の計測値が高圧範囲の上限（例えば、基準高圧＋３００ｋＰａ）を上回ると、室外制御器（110）は、室外ファン（12）の回転速度を引き上げ、室外ファン（12）の送風量を増やす。室外ファン（12）の送風量が増えると、室外熱交換器（13）における冷媒の放熱量が増加し、その結果、第１圧縮機（21）から吐出される冷媒の圧力（即ち、冷凍サイクルの高圧）が低下する。
【０１２０】
一方、吐出圧センサ（90）の計測値が高圧範囲の下限（例えば、基準高圧−３００ｋＰａ）を下回ると、室外制御器（110）は、室外ファン（12）の回転速度を引き下げ、室外ファン（12）の送風量を減らす。室外ファン（12）の送風量が減ると、室外熱交換器（13）における冷媒の放熱量が減少し、その結果、第１圧縮機（21）から吐出される冷媒の圧力（即ち、冷凍サイクルの高圧）が上昇する。
【０１２１】
〈室外制御器の制御動作（５）〉
図９に示すように、室外熱交換器（13）が蒸発器として機能する加熱運転（具体的には、暖房運転および暖房/冷設運転）において、室外制御器（110）は、基準高圧を調節する。
【０１２２】
各室内ユニット（60a〜60c）の室内制御器（115a〜115c）は、その室内ユニット（60a〜60c）の室内膨張弁（63a〜63c）の開度が最大開度になると、室内膨張弁（63a〜63c）が全開であることを示す全開信号を出力する。室外制御器（110）は、各室内制御器（115a〜115c）から受信した全開信号に基づいて、基準高圧を調節する。
【０１２３】
なお、室内膨張弁（63a〜63c）の最大開度は、構造上の最大の開度でなくてもよい。例えば、冷房運転と暖房運転で室内膨張弁（63a〜63c）の開度の調節範囲が異なる場合がある。そのような場合、開度調節範囲の上限は、構造上の最大開度よりも小さいことがある。本実施形態において、室内膨張弁（63a〜63c）の最大開度は、その開度調節範囲の上限開度を意味する。室内膨張弁（63a〜63c）の開度が、ある運転状態における開度調節範囲の上限開度である場合、室内膨張弁（63a〜63c）は、その運転状態における全開になっている。
【０１２４】
室外制御器（110）は、基準高圧の初期値（例えば、８．５ＭＰａ）をメモリ（112）に記憶する。加熱運転である暖房運転、暖房/冷設運転、暖房/冷設熱回収運転、及び暖房/冷設余熱運転において、室外制御器（110）は、基準高圧の初期値を用いて室外ユニット（10）の運転制御を開始する。なお、暖房/冷設余熱運転において、室外制御器（110）は、基準高圧を初期値に保つ。また、暖房/冷設熱回収運転において、室外制御器（110）は、基準高圧を、暖房/冷設熱回収運転が開始されたときの値に保つ。
【０１２５】
暖房運転中および暖房/冷設運転中に、少なくとも一つの室内ユニット（60a〜60c）の室内膨張弁（63a〜63c）が、ある程度の時間に亘って全開状態に保たれる場合は、室内ユニット（60a〜60c）の暖房能力が暖房負荷に対して不足していると判断できる。そこで、暖房運転中および暖房/冷設運転中に、少なくとも一つの室内制御器（115a〜115c）から全開信号を受信する状態が所定時間（例えば、１分間）以上に亘って継続した場合、室外制御器（110）は、室内ユニット（60a〜60c）の暖房能力を増やすために、基準高圧を所定値（例えば、１ＭＰａ）だけ引き上げる（図９を参照）。室外制御器（110）は、引き上げられた基準高圧を用いて、圧縮部（C）または室外ファン（12）の運転を制御する。その結果、室内ユニット（60a〜60c）の暖房能力が増加する。
【０１２６】
暖房運転中および暖房/冷設運転中において、基準高圧を引き上げた後に全ての室内ユニット（60a〜60c）の室内膨張弁（63a〜63c）が全開ではない状態になった場合は、室内ユニット（60a〜60c）の暖房能力が暖房負荷に対して多すぎると判断できる。そこで、暖房運転中および暖房/冷設運転中において、基準高圧を引き上げた後に全ての室内制御器（115a〜115c）から全開信号を受信しなくなった場合、室外制御器（110）は、室内ユニット（60a〜60c）の暖房能力を減らすために、基準高圧を所定値（例えば、１ＭＰａ）だけ引き下げる（図９を参照）。室外制御器（110）は、引き下げられた基準高圧を用いて、圧縮部（C）または室外ファン（12）の運転を制御する。その結果、室内ユニット（60a〜60c）の暖房能力が減少する。
【０１２７】
〈室外制御器の制御動作（６）〉
図９に示すように、室外熱交換器（13）が蒸発器として機能する加熱運転（具体的には、暖房運転および暖房/冷設運転）において、室外制御器（110）は、室外ファン（12）の送風量と、圧縮部（C）の運転容量とを調節する。室外制御器（110）は、吐出圧センサ（90）の計測値ＨＰが基準高圧となるように、室外ファン（12）の送風量と、圧縮部（C）の運転容量とを調節する。
【０１２８】
室外制御器（110）は、圧縮部（C）の運転容量が最小であるときに、室外ファン（12）の送風量を調節する。
【０１２９】
この室外ファン（12）の制御において、室外制御器（110）は、吐出圧センサ（90）の計測値ＨＰが基準高圧よりも高い（ＨＰ＞基準高圧）ときに、室外ファン（12）の回転速度を引き下げ、室外ファン（12）の送風量を減らす。室外ファン（12）の送風量が減ると、蒸発器として機能する室外熱交換器（13）における冷媒の吸熱量が減少し、その結果、圧縮部（C）から吐出される冷媒の圧力が低下する。
【０１３０】
一方、室外制御器（110）は、吐出圧センサ（90）の計測値ＨＰが基準高圧よりも低い（ＨＰ＜基準高圧）ときに、室外ファン（12）の回転速度を引き上げ、室外ファン（12）の送風量を増やす。室外ファン（12）の送風量が増えると、蒸発器として機能する室外熱交換器（13）における冷媒の吸熱量が増加し、その結果、圧縮部（C）から吐出される冷媒の圧力が上昇する。
【０１３１】
室外ファン（12）の回転速度を最大にしても吐出圧センサ（90）の計測値ＨＰが基準高圧よりも低い状態が続くと、室外制御器（110）は、室外ファン（12）の回転速度を最大に保った状態で、圧縮部（C）の運転容量を調節する。
【０１３２】
この圧縮部（C）の制御において、室外制御器（110）は、吐出圧センサ（90）の計測値ＨＰが基準高圧よりも低い（ＨＰ＜基準高圧）ときに、圧縮部（C）を構成する圧縮機（21,22,23）の運転周波数を引き上げ、圧縮部（C）の運転容量を増加させる。圧縮部（C）の運転容量が増加すると、圧縮部（C）から吐出される冷媒の圧力が上昇する。
【０１３３】
一方、室外制御器（110）は、吐出圧センサ（90）の計測値ＨＰが基準高圧よりも高い（ＨＰ＞基準高圧）ときに、圧縮部（C）を構成する圧縮機（21,22,23）の運転周波数を引き下げ、圧縮部（C）の運転容量を減少させる。圧縮部（C）の運転容量が減少すると、圧縮部（C）から吐出される冷媒の圧力が低下する。
【０１３４】
圧縮部（C）の運転容量を最小にしても吐出圧センサ（90）の計測値ＨＰが基準高圧よりも高い状態が続くと、室外制御器（110）は、圧縮部（C）の運転容量を最小に保った状態で、上述した室外ファン（12）の送風量の調節を行う。
【０１３５】
上述したように、室外制御器（110）は、室外ファン（12）の回転速度が最大値に達しても吐出圧センサ（90）の計測値ＨＰが基準高圧よりも低い場合に、圧縮部（C）を構成する圧縮機（21,22,23）の運転周波数を引き上げ、圧縮部（C）の運転容量を増加させる。言い換えると、室外制御器（110）は、吐出圧センサ（90）の計測値ＨＰを上昇させる必要がある場合に、圧縮機（21,22,23）に比べて消費電力が少ない室外ファン（12）の回転速度を優先的に引き上げるように構成される。室外制御器（110）がこのような制御動作を行うことによって、消費電力の増加を抑えることができる。
【０１３６】
上述したように、室外制御器（110）は、圧縮部（C）の運転容量が最小値に達しても吐出圧センサ（90）の計測値が基準高圧よりも高い場合に、室外ファン（12）の回転速度を引き下げ、室外ファン（12）の送風量を減らす。言い換えると、室外制御器（110）は、吐出圧センサ（90）の計測値ＨＰを低下させる必要がある場合に、室外ファン（12）に比べて消費電力が多い圧縮機（21,22,23）の運転周波数を優先的に引き下げるように構成される。室外制御器（110）がこのような制御動作を行うことによって、消費電力の増加を抑えることができる。
【０１３７】
〈室外制御器の制御動作（７）〉
冷設ユニット（50a,50b）が作動する暖房/冷設運転、暖房/冷設熱回収運転、及び暖房/冷設余熱運転において、室外制御器（110）は、メモリが記憶する冷設用基準低圧と、第１吸入圧センサ（91）の計測値とに基づいて、圧縮部（C）の運転を制御する。
【０１３８】
室外制御器（110）は、第１吸入圧センサ（91）の計測値が基準低圧となるように、圧縮部（C）の運転を制御する。具体的に、室外制御器（110）は、第１吸入圧センサ（91）の計測値が“冷設用基準低圧を含む低圧範囲（例えば、基準低圧±１５０ｋＰａの範囲）”となるように、第２圧縮機（22）の運転容量を制御する。
【０１３９】
第１吸入圧センサ（91）の計測値が低圧範囲の上限（例えば、基準低圧＋１５０ｋＰａ）を上回ると、室外制御器（110）は、第２圧縮機（22）の運転周波数を引き上げ、第２圧縮機（22）の運転容量を増やす。第２圧縮機（22）の運転容量が増えると、第２圧縮機（22）へ吸入される冷媒の圧力が低下し、その結果、冷設熱交換器（54）における冷媒の蒸発温度が低下する。
【０１４０】
一方、第１吸入圧センサ（91）の計測値が低圧範囲の下限（例えば、基準低圧−１５０ｋＰａ）を下回ると、室外制御器（110）は、第２圧縮機（22）の運転周波数を引き下げ、第２圧縮機（22）の運転容量を減らす。第２圧縮機（22）の運転容量が減ると、第２圧縮機（22）へ吸入される冷媒の圧力が上昇し、その結果、冷設熱交換器（54）における冷媒の蒸発温度が上昇する。
【０１４１】
〈室外制御器の制御動作（８）〉
加熱運転である暖房運転、暖房/冷設運転、暖房/冷設熱回収運転、及び暖房/冷設余熱運転の全てにおいて、室外制御器（110）は、メモリが記憶する基準吐出温度と、圧縮部（C）の低段側吐出温度とに基づいて、圧縮部（C）の運転を制御する。
【０１４２】
第２圧縮機（22）が停止して第３圧縮機（23）が作動する暖房運転において、室外制御器（110）は、第２吐出温度センサ（94）の計測値を、低段側吐出温度とする。第２圧縮機（22）と第３圧縮機（23）の両方が作動する暖房/冷設運転において、室外制御器（110）は、第２吐出温度センサ（94）の計測値と第３吐出温度センサの計測値のうちの高い方を、低段側吐出温度とする。第２圧縮機（22）が作動して第３圧縮機（23）が停止する暖房/冷設熱回収運転および暖房/冷設余熱運転において、室外制御器（110）は、第１吐出温度センサ（93）の計測値を、低段側吐出温度とする。
【０１４３】
室外制御器（110）は、低段側吐出温度が基準吐出温度となるように、圧縮部（C）の運転を制御する。具体的に、室外制御器（110）は、低段側吐出温度が“基準吐出温度を含む第４温度範囲（例えば、基準吐出温度±０．１５℃の範囲）”となるように、第１圧縮機（21）の運転容量を制御する。
【０１４４】
低段側吐出温度が第４温度範囲の上限（例えば、基準吐出温度＋０．１５℃）を上回ると、室外制御器（110）は、第１圧縮機（21）の運転周波数を引き上げ、第１圧縮機（21）の運転容量を増やす。第１圧縮機（21）の運転容量が増えると、第１圧縮機（21）へ吸入される冷媒の圧力が低下する。その結果、第２圧縮機（22）または第３圧縮機（23）から吐出される冷媒の圧力が低下し、低段側吐出温度が低下する。
【０１４５】
一方、低段側吐出温度が第４温度範囲の下限（例えば、基準吐出温度−０．１５℃）を下回ると、室外制御器（110）は、第１圧縮機（21）の運転周波数を引き下げ、第１圧縮機（21）の運転容量を減らす。第１圧縮機（21）の運転容量が減ると、第１圧縮機（21）へ吸入される冷媒の圧力が上昇する。その結果、第２圧縮機（22）または第３圧縮機（23）から吐出される冷媒の圧力が上昇し、低段側吐出温度が上昇する。
【０１４６】
〈室外制御器の制御動作（９）〉
図９に示すように、室外制御器（110）は、冷凍装置（1）が実行する運転を、暖房/冷設余熱運転と、暖房/冷設熱回収運転と、暖房/冷設運転とに切り換える動作を行う。
【０１４７】
冷凍装置（1）が暖房/冷設熱回収運転を実行している状態において、暖房能力が暖房負荷に対して過剰であることを示す暖房能力過剰条件が成立すると、室外制御器（110）は、冷凍装置（1）が実行する運転を、暖房/冷設熱回収運転から暖房/冷設余熱運転に切り換える。暖房/冷設余熱運転では、室内熱交換器（64a〜64c）と室外熱交換器（13）の両方において冷媒が放熱するため、暖房/冷設熱回収運転に比べて暖房能力が減少する。
【０１４８】
暖房能力過剰条件は、“吐出圧センサ（90）の計測値ＨＰが基準高圧よりも高く（ＨＰ＞基準高圧）、且つ、少なくとも一つの室内ユニット（60a〜60c）において室内膨張弁（63a〜63c）が全開でない状態が１分間以上に亘って継続する”という第１条件と、“全ての室内ユニット（60a〜60c）が空気の加熱を休止している”という第２条件の少なくとも一方が成立するという条件である。
【０１４９】
冷凍装置（1）が暖房/冷設余熱運転を実行している状態において、暖房能力が暖房負荷に対して不足であることを示す暖房能力不足条件が成立すると、室外制御器（110）は、冷凍装置（1）が実行する運転を、暖房/冷設余熱運転から暖房/冷設熱回収運転に切り換える。暖房/冷設熱回収運転では、室内熱交換器（64a〜64c）において冷媒が放熱して室外熱交換器（13）が休止するため、暖房/冷設余熱運転に比べて暖房能力が増加する。
【０１５０】
暖房能力不足条件は、“吐出圧センサ（90）の計測値ＨＰが基準高圧よりも低い（ＨＰ＜基準高圧）”という第３条件と、“少なくとも一つの室内ユニット（60a〜60c）において室内膨張弁（63a〜63c）が全開である状態が１分間以上に亘って継続する”という第４条件の少なくとも一方が成立するという条件である。
【０１５１】
冷凍装置（1）が暖房/冷設熱回収運転を実行している状態において、上述した暖房能力不足条件が成立すると、室外制御器（110）は、冷凍装置（1）が実行する運転を、暖房/冷設熱回収運転から暖房/冷設運転に切り換える。暖房/冷設運転では、冷設熱交換器（54）と室外熱交換器（13）の両方において冷媒が吸熱するため、暖房/冷設熱回収運転に比べて暖房能力が増加する。
【０１５２】
冷凍装置（1）が暖房/冷設運転を実行している状態において、上述した暖房能力過剰条件が成立すると、室外制御器（110）は、冷凍装置（1）が実行する運転を、暖房/冷設運転から暖房/冷設熱回収運転に切り換える。暖房/冷設熱回収運転では、冷設熱交換器（54）において冷媒が吸熱して室外熱交換器（13）が休止するため、暖房/冷設運転に比べて暖房能力が減少する。
【０１５３】
−実施形態の特徴（１）−
本実施形態の冷凍装置（1）は、冷媒回路（6）と制御器（100）とを備える。冷媒回路（6）は、圧縮機（21,22,23）と室内熱交換器（64a〜64c）と複数の室内ユニット（60a〜60c）とを有し、高圧が冷媒の臨界圧力以上である冷凍サイクルを行う。各室内ユニット（60a〜60c）には、室内熱交換器（64a〜64c）と膨張弁（63a〜63c）とが設けられる。冷凍装置（1）は、室内熱交換器（64a〜64c）が放熱器として機能する加熱運転を少なくとも行う。
【０１５４】
本実施形態の冷凍装置（1）の各室内ユニット（60a〜60c）は、加熱運転において、対象空間の温度が設定温度となるように対象空間を加熱する。複数の室内ユニット（60a〜60c）は、それぞれの設定温度を個別に設定可能である。
【０１５５】
本実施形態の冷凍装置（1）は、制御器（100）を備える。制御器（100）は、加熱運転において、複数の室内ユニット（60a〜60c）の設定温度のうち最も高い設定温度よりも高い温度を基準温度とする。そして、制御器（100）は、各室内ユニット（60a〜60c）の上記室内熱交換器（64a〜64c）の出口における冷媒の温度が基準温度となるように、各室内ユニット（60a〜60c）の膨張弁（63a〜63c）の開度を個別に調節する。
【０１５６】
本実施形態の冷凍装置（1）において、制御器（100）は、各室内ユニット（60a〜60c）の設定温度を比較し、基準温度を、最も高い設定温度よりも高い値にする。制御器（100）は、この基準温度を用いて、各室内ユニット（60a〜60c）の膨張弁（63a〜63c）を制御する。その結果、各室内ユニット（60a〜60c）の膨張弁（63a〜63c）の開度の差が比較的小さくなり、各室内ユニット（60a〜60c）の室内熱交換器（64a〜64c）に溜まり込む冷媒の量の差が小さくなる。従って、この態様によれば、冷媒回路（6）を循環する冷媒の量が確保され、室内熱交換器（64a〜64c）における対象物の加熱を適切に行うことができる。
【０１５７】
−実施形態の特徴（２）−
本実施形態の冷凍装置（1）において、制御器（100）は、加熱運転において室外熱交換器（13）が蒸発器として機能するときに、冷凍サイクルの高圧が所定の基準高圧となるように第３圧縮機（23）の運転容量を調節する。室外熱交換器（13）が蒸発器として機能する加熱運転は、暖房運転および暖房/冷設運転である。
【０１５８】
本実施形態の冷凍装置（1）では、制御器（100）が第３圧縮機（23）の運転容量を調節する。加熱運転中に室内熱交換器（64a〜64c）が放熱器として機能して室外熱交換器（13）が蒸発器として機能する場合、制御器（100）は、第３圧縮機（23）の運転容量を、冷凍サイクルの高圧が基準高圧となるように調節する。
【０１５９】
−実施形態の特徴（３）−
本実施形態の冷凍装置（1）において、制御器（100）は、加熱運転において室外熱交換器（13）が蒸発器として機能するときに、少なくとも一つの室内ユニット（60a〜60c）の室内膨張弁（63a〜63c）が全開になると基準高圧を引き上げ、全ての室内ユニット（60a〜60c）の室内膨張弁（63a〜63c）が全開でなくなると基準高圧を引き下げる。室外熱交換器（13）が蒸発器として機能する加熱運転は、暖房運転および暖房/冷設運転である。
【０１６０】
本実施形態の冷凍装置（1）では、制御器（100）が、第３圧縮機（23）の制御に用いる基準高圧を調節する。加熱運転中に室内熱交換器（64a〜64c）が放熱器として機能して室外熱交換器（13）が蒸発器として機能する場合、制御器（100）は、基準高圧を、室内膨張弁（63a〜63c）の状態に基づいて調節する。
【０１６１】
従って、本実施形態によれば、制御器（100）が室内回路（61a〜61c）の室内膨張弁（63a〜63c）の状態に基づいて基準高圧を調節することによって、室内の暖房負荷に見合った適切な暖房能力を、室内ユニット（60a〜60c）に発揮させることができる。
【０１６２】
−実施形態の特徴（４）−
本実施形態の冷凍装置（1）において、冷媒回路（6）は、加熱運転中に蒸発器として機能し得る冷設熱交換器（54）と、室外熱交換器（13）に対応して設けられた開度可変の室外膨張弁（14）とを有する。
【０１６３】
本実施形態の制御器（100）は、加熱運転において室外熱交換器（13）が放熱器として機能し且つ冷設熱交換器（54）が蒸発器として機能するときに、室外熱交換器（13）の出口における冷媒の温度が所定の熱源側基準温度となるように、室外膨張弁（14）の開度を調節する。室外熱交換器（13）が放熱器として機能し且つ冷設熱交換器（54）が蒸発器として機能する加熱運転は、暖房/冷設余熱運転である。
【０１６４】
本実施形態の冷凍装置（1）では、制御器（100）が、室外膨張弁（14）の開度を調節する。加熱運転中に室内熱交換器（64a〜64c）及び室外熱交換器（13）が放熱器として機能して冷設熱交換器（54）が蒸発器として機能する場合、制御器（100）は、室外膨張弁（14）の開度を、室外熱交換器（13）の出口における冷媒の温度が所定の熱源側基準温度となるように調節する。また、この場合、制御器（100）は、室内膨張弁（63a〜63c）の開度を、室内熱交換器（64a〜64c）の出口における冷媒の温度が基準温度となるように調節する。
【０１６５】
−実施形態の特徴（５）−
本実施形態の冷凍装置（1）は、室外熱交換器（13）へ室外空気を送る室外ファン（12）を備える。室外熱交換器（13）は、室外ファン（12）によって送られた室外空気を冷媒と熱交換させるように構成される。冷媒回路（6）は、加熱運転中に蒸発器として機能し得る冷設熱交換器（54）を有する。
【０１６６】
本実施形態の制御器（100）は、加熱運転において室外熱交換器（13）が放熱器として機能し且つ冷設熱交換器（54）が蒸発器として機能するときに、冷凍サイクルの高圧が所定の基準高圧となるように室外ファン（12）の送風量を調節する。室外熱交換器（13）が放熱器として機能し且つ冷設熱交換器（54）が蒸発器として機能する加熱運転は、暖房/冷設余熱運転である。
【０１６７】
本実施形態の冷凍装置（1）では、制御器（100）が室外ファン（12）の送風量を調節する。加熱運転中に室内熱交換器（64a〜64c）及び室外熱交換器（13）が放熱器として機能して冷設熱交換器（54）が蒸発器として機能する場合、制御器（100）は、室外ファン（12）の送風量を、冷凍サイクルの高圧が基準高圧となるように調節する。
【０１６８】
−実施形態の変形例−
〈第１変形例〉
本実施形態の冷凍装置（1）は、室外ユニット（10）と室内ユニット（60a〜60c）とを備える一方、冷設ユニット（50a,50b）が省略されていてもよい。この変形例の冷凍装置（1）は、専ら室内の空気調和を行う空気調和機を構成する。また、この変形例の冷凍装置（1）を構成する室外ユニット（10）では、第２圧縮機（22）が省略される。
【０１６９】
〈第２変形例〉
本実施形態の冷凍装置（1）が備える利用側ユニットは、室内の空気調和を行う室内ユニット（60a〜60c）に限定されない。本実施形態の冷凍装置（1）において、利用側ユニットは、冷媒によって水を加熱し又は冷却するように構成されていてもよい。本変形例の利用側ユニットには、冷媒と水を熱交換させる熱交換器が、利用側熱交換器として設けられる。
【０１７０】
本変形例の利用側ユニットは、利用側熱交換器において加熱対象である水を冷媒で加熱する加熱運転を行う。この加熱運転において、利用側ユニットは、利用側熱交換器の出口において加熱対象である水の温度が設定温度となるように、冷媒で水を加熱する。本変形例の利用側ユニットについて設定される設定温度は、利用側熱交換器の出口における水（加熱対象）の温度の目標値である。本変形例の冷凍装置（1）において、室外制御器（110）は、各室内制御器（115a〜115c）が室内膨張弁（63a〜63c）を制御する際に用いる基準温度を、利用側熱交換器において加熱される対象物（本変形例では、水）の温度に関する設定温度よりも高い値とする。
【０１７１】
〈第３変形例〉
本実施形態の冷凍装置（1）において、圧縮部（C）は、第２圧縮機又は第３圧縮機と第１圧縮機とで冷媒を順に圧縮する二段圧縮を行うが、この圧縮部（C）は、一台の圧縮機または並列接続された複数台の圧縮機を備えて単段圧縮を行うように構成されていてもよい。
【０１７２】
〈第４変形例〉
本実施形態の冷凍装置（1）は、利用側ユニットとして、温蔵庫の庫内空気を加熱する加熱ユニットを備えていてもよい。この加熱ユニットは、温蔵庫の庫内空間を対象空間とし、庫内空間の温度（具体的には、庫内空間の気温）が設定温度となるように、その利用側熱交換器（64a〜64c）において加熱した空気を庫内空間へ吹き出す。
【０１７３】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１７４】
以上説明したように、本開示は、冷凍装置について有用である。
【符号の説明】
【０１７５】
1    冷凍装置
6    冷媒回路
12    室外ファン
14    熱源側膨張弁（熱源側膨張弁）
13    熱源側熱交換器（熱源側熱交換器）
21    第１圧縮機（圧縮機）
22    第２圧縮機（圧縮機）
23    第３圧縮機（圧縮機）
54    冷設熱交換器（冷却用熱交換器）
60a   第１室内ユニット（利用側ユニット）
60b   第２室内ユニット（利用側ユニット）
60c   第３室内ユニット（利用側ユニット）
61a   第１室内回路（利用側回路）
61b   第２室内回路（利用側回路）
61c   第３室内回路（利用側回路）
64a   第１室内熱交換器（利用側熱交換器）
64b   第２室内熱交換器（利用側熱交換器）
64c   第３室内熱交換器（利用側熱交換器）
63a   第１室内膨張弁（膨張弁）
63b   第２室内膨張弁（膨張弁）
63c   第３室内膨張弁（膨張弁）
100    制御器（100）
【要約】
【課題】高圧が冷媒の臨界圧力以上である冷凍サイクルを行う冷凍装置において、放熱器における対象物の加熱を適切に行う。
【解決手段】冷凍装置（1）の冷媒回路（6）は、高圧が冷媒の臨界圧力以上である冷凍サイクルを行う。冷凍装置（1）は、冷媒回路（6）の室内熱交換器（64a〜64c）が放熱器として機能する加熱運転を少なくとも行う。冷凍装置（1）の制御器（100）は、加熱運転において、室内熱交換器（64a〜64c）の出口における冷媒の温度が所定の基準温度となるように、冷媒回路（6）の室内膨張弁（63a〜63c）の開度を調節する。
【選択図】図１【図１】
0006791315.tif 000002
【図２】
0006791315.tif 000003
【図３】
0006791315.tif 000004
【図４】
0006791315.tif 000005
【図５】
0006791315.tif 000006
【図６】
0006791315.tif 000007
【図７】
0006791315.tif 000008
【図８】
0006791315.tif 000009
【図９】
0006791315.tif 000010